(57)【要約】【課題】２次側熱交換端末の温度変動の低減できると共に、機器効率を向上させることができる温調システムを提供する。【解決手段】温調システムは、室外熱交換器１０３、圧縮機１０１、複数のプレート式水熱交換器２０１，３０１および複数の第１，第２の電動膨張弁１０４，１０５が順に連結された冷媒回路６０１と、複数のプレート式水熱交換器２０１，３０１に接続された複数の第１〜第４の床冷暖房パネル４０１〜４０４と、室外機用制御装置１１７とを備えている。この室外機用制御装置１１７は、第１〜第４の床冷暖房パネル４０１〜４０４の設定温度に基づいて、プレート式水熱交換器２０１，３０１内の冷媒の１相域の大きさと、プレート式水熱交換器２０１，３０１内の冷媒の２相域の大きさとを制御する。【選択図】図１
2014145522.tif 000002
【特許請求の範囲】
【請求項１】
室外熱交換器(１０３)、圧縮機(１０１)、複数の水熱交換器(２０１，３０１)および複数の膨張機構(１０４，１０５)が順に連結された熱媒回路(６０１)と、
上記複数の水熱交換器(２０１，３０１)に接続された複数の２次側熱交換端末(４０１，４０２，４０３，４０４)と、
上記水熱交換器(２０１，３０１)を通過する熱媒と熱交換した温水または冷水を上記２次側熱交換端末(４０１，４０２，４０３，４０４)に送るポンプ(２０３，３０３)と、
制御装置(１１７)と
を備え、
上記制御装置(１１７)は、上記各２次側熱交換端末(４０１，４０２，４０３，４０４)の設定温度に基づいて、上記各水熱交換器(２０１，３０１)内の熱媒の１相域の大きさと、上記各水熱交換器(２０１，３０１)内の熱媒の２相域の大きさとを制御することを特徴とする温調システム。
【請求項２】
請求項１に記載の温調システムにおいて、
上記制御装置(１１７)は、暖房運転時、上記各水熱交換器(２０１，３０１)内の熱媒の２つの１相域の大きさと、上記各水熱交換器(２０１，３０１)内の熱媒の１つの２相域の大きさとを制御することを特徴とする温調システム。
【請求項３】
請求項１または２に記載の温調システムにおいて、
上記制御装置(１１７)は、冷房運転時、上記各水熱交換器(２０１，３０１)内の熱媒の１つの１相域の大きさと、上記各水熱交換器(２０１，３０１)内の熱媒の１つの２相域の大きさとを制御することを特徴とする温調システム。
【請求項４】
請求項１から３までのいずれか一項に記載の温調システムにおいて、
上記水熱交換器(２０１，３０１)内の熱媒の２相域の温度を検出するための２相域温度検出部(２１５，２１７，２１８，３１５，３１７，３１８)を備えることを特徴とする温調システム。
【請求項５】
請求項４に記載の温調システムにおいて、
上記２相域温度検出部(２１５，３１５)は、上記熱媒回路(６０１)の上記水熱交換器(２０１，３０１)近傍の部分に接続された圧力センサ(２１５，３１５)であることを特徴とする温調システム。
【請求項６】
請求項４に記載の温調システムにおいて、
上記２相域温度検出部(２１７，２１８，３１７，３１８)は、上記水熱交換器(２０１，３０１)に取り付けられた２相域用温度センサ(２１７，２１８，３１７，３１８)であることを特徴とする温調システム。
【請求項７】
請求項４から６までのいずれか一項に記載の温調システムにおいて、
暖房運転時に上記水熱交換器(２０１，３０１)内の熱媒の１相域の温度を検出するための第１の１相域用温度センサ(１０８，１０９，２１４，３１４)を備え、
上記制御装置(１１７)は、暖房運転時、上記水熱交換器(２０１，３０１)内の熱媒の２相域と、上記水熱交換器(２０１，３０１)内の熱媒の１相域との温度差に基づいて、上記水熱交換器(２０１，３０１)内の熱媒の１相域の大きさを制御することを特徴とする温調システム。
【請求項８】
請求項４から６までのいずれか一項に記載の温調システムにおいて、
冷房運転時に上記水熱交換器(２０１，３０１)内の熱媒の１相域の温度を検出するための第２の１相域用温度センサ(１１２，１１３)を備え、
上記制御装置(１１７)は、冷房運転時、上記水熱交換器(２０１，３０１)内の熱媒の２相域と、上記水熱交換器(２０１，３０１)内の熱媒の１相域との温度差に基づいて、上記水熱交換器(２０１，３０１)内の熱媒の１相域の大きさを制御することを特徴とする温調システム。
【発明の詳細な説明】
【技術分野】
【０００１】
本発明は温調システムに関する。
【背景技術】
【０００２】
従来、温調システムとしては、特開２００９−１３９０８２号公報(特許文献１)に記載されているように、熱媒が流れる熱媒回路を備えたものがある。この熱媒回路には、室外熱交換器、圧縮機、水熱交換器および膨張機構が１個ずつ設けられている。
【０００３】
上記水熱交換器では、熱媒と水の熱交換により、温水が生成される。この温水を熱動弁を介して２次側熱交換端末に供給することにより、２次側熱交換端末の周囲を暖房することができる。
【先行技術文献】
【特許文献】
【０００４】
【特許文献１】特開２００９−１３９０８２号公報
【発明の概要】
【発明が解決しようとする課題】
【０００５】
ところで、上記温調システムにおいて、水熱交換器を複数にし、各水熱交換器に２次側熱交換端末を接続する変更を行った場合、ある２次側熱交換端末の周囲の温度を高温にし、かつ、他の２次側熱交換端末の周囲の温度を低温するため、ある２次側熱交換端末に接続された熱動弁を全開にすると共に、他の２次側熱交換端末に接続された熱動弁を間欠的に開くと、問題が生じてしまう。
【０００６】
すなわち、上記他の２次側熱交換端末には高温の温水が間欠的に流れることにより、２次側熱交換端末の温度変動が大きくなってしまうという問題が生じる。
【０００７】
また、上記他の２次側熱交換端末には高温の温水が間欠的に流れることにより、圧縮機の発停が頻発する結果、機器効率が悪くなってしまうという問題も生じる。
【０００８】
そこで、本発明の課題は、２次側熱交換端末の温度変動を低減できると共に、機器効率を向上させることができる温調システムを提供することにある。
【課題を解決するための手段】
【０００９】
上記課題を解決するため、本発明の温調システムは、
室外熱交換器、圧縮機、複数の水熱交換器および複数の膨張機構が順に連結された熱媒回路と、
上記複数の水熱交換器に接続された複数の２次側熱交換端末と、
上記水熱交換器を通過する熱媒と熱交換した温水または冷水を上記２次側熱交換端末に送るポンプと、
制御装置と
を備え、
上記制御装置は、上記各２次側熱交換端末の設定温度に基づいて、上記各水熱交換器内の熱媒の１相域の大きさと、上記各水熱交換器内の熱媒の２相域の大きさとを制御することを特徴としている。
【００１０】
上記構成の温調システムによれば、上記熱媒は、室外熱交換器、圧縮機、水熱交換器および膨張機構を流れることにより、水熱交換器で水と熱交換する。このとき、上記水熱交換器内の熱媒の１相域の大きさと、水熱交換器内の熱媒の２相域の大きさを変えることにより、水熱交換器内の熱媒と水との熱交換量を変更して、水熱交換器から出る温水または冷水の温度を調節できる。
【００１１】
したがって、上記制御装置が、各２次側熱交換端末の設定温度に基づいて、各水熱交換器内の熱媒の１相域の大きさと、各水熱交換器内の熱媒の２相域の大きさとを制御することにより、２次側熱交換端末の設定温度に応じた温水または冷水を２次側熱交換端末に供給することができる。その結果、上記２次側熱交換端末の温度変動を低減できる。
【００１２】
また、上記２次側熱交換端末の設定温度に応じた温水または冷水を２次側熱交換端末に供給することができるので、圧縮機の発停を減らして、機器効率を向上させることができる。
【００１３】
一実施形態の温調システムでは、
上記制御装置は、暖房運転時、上記各水熱交換器内の熱媒の２つの１相域の大きさと、上記各水熱交換器内の熱媒の１つの２相域の大きさとを制御する。
【００１４】
上記実施形態の温調システムによれば、暖房運転時、圧縮機から吐出された熱媒が、水熱交換器で水と熱交換されて凝縮する。この凝縮した熱媒は、膨張機構により膨張して、室外熱交換器で蒸発して室外の熱源から吸熱した後、圧縮機に戻る。このとき、上記水熱交換器を流れる水は、熱媒との熱交換により、温水となって、２次側熱交換器へ向かって流れる。
【００１５】
このように、上記水熱交換器内の水が熱媒と熱交換するとき、水熱交換器内の熱媒の２つの１相域の大きさと、水熱交換器内の熱媒の１つの２相域の大きさとを変えることにより、水熱交換器内の水と熱媒の熱交換量を変更できるので、水熱交換器から出る温水が２次側熱交換端末の設定温度から大きく外れるのを防ぐことができる。
【００１６】
一実施形態の温調システムでは、
上記制御装置は、冷房運転時、上記各水熱交換器内の熱媒の１つの１相域の大きさと、上記各水熱交換器内の熱媒の１つの２相域の大きさとを制御する。
【００１７】
上記実施形態の温調システムによれば、冷房運転時、圧縮機から吐出された熱媒が、室外熱交換器で室外の熱源と熱交換されて凝縮する。この凝縮した熱媒は、膨張機構により膨張して、水熱交換器で蒸発して水熱交換器内の水から吸熱した後、圧縮機に戻る。このとき、上記水熱交換器を流れる水は、熱媒との熱交換により、冷水となって、２次側熱交換器へ向かって流れる。
【００１８】
このように、上記水熱交換器内の水が熱媒と熱交換するとき、水熱交換器内の熱媒の１つの１相域の大きさと、水熱交換器内の熱媒の１つの２相域の大きさとを変えることにより、水熱交換器内の水と熱媒の熱交換量を変更できるので、水熱交換器から出る冷水の温度が２次側熱交換端末の設定温度から大きく外れるのを防ぐことができる。
【００１９】
一実施形態の温調システムは、
上記水熱交換器内の熱媒の２相域の温度を検出するための２相域温度検出部を備える。
【００２０】
上記実施形態の温調システムによれば、上記２相域温度検出部を用いて、水熱交換器内の熱媒の２相域の温度を検出することができる。したがって、上記制御装置は、水熱交換器内の熱媒の２相域の温度に基づいて、その２相域の大きさを良好に制御することができる。
【００２１】
一実施形態の温調システムでは、
上記２相域温度検出部は、上記熱媒回路の上記水熱交換器近傍の部分に接続された圧力センサである。
【００２２】
上記実施形態の温調システムによれば、上記圧力センサは、熱媒回路の水熱交換器近傍の部分に接続されているので、水熱交換器内の熱媒の圧力を正確に検出することができる。したがって、上記制御装置は、水熱交換器内の熱媒の圧力に基づいて、水熱交換器内の熱媒の２相域の温度を正確に検出することができる。
【００２３】
一実施形態の温調システムでは、
上記２相域温度検出部は、上記水熱交換器に取り付けられた２相域用温度センサである。
【００２４】
上記実施形態の温調システムによれば、上記２相域用温度センサは、水熱交換器に取り付けられているので、水熱交換器内の熱媒の２相域の温度を正確に検出することができる。
【００２５】
一実施形態の温調システムは、
暖房運転時に上記水熱交換器内の熱媒の１相域の温度を検出するための第１の１相域用温度センサを備え、
上記制御装置は、暖房運転時、上記水熱交換器内の熱媒の２相域と、上記水熱交換器内の熱媒の１相域との温度差に基づいて、上記水熱交換器内の熱媒の１相域の大きさを制御する。
【００２６】
上記実施形態の温調システムによれば、上記制御装置は、暖房運転時、水熱交換器内の熱媒の２相域と、水熱交換器内の熱媒の１相域との温度差に基づいて、水熱交換器内の熱媒の１相域の大きさを制御するので、この制御の信頼性を高めることができる。
【００２７】
一実施形態の温調システムは、
冷房運転時に上記水熱交換器内の熱媒の１相域の温度を検出するための第２の１相域用温度センサを備え、
上記制御装置は、冷房運転時、上記水熱交換器内の熱媒の２相域と、上記水熱交換器内の熱媒の１相域との温度差に基づいて、上記水熱交換器内の熱媒の１相域の大きさを制御する。
【００２８】
上記実施形態の温調システムによれば、上記制御装置は、冷房運転時、水熱交換器内の熱媒の２相域と、水熱交換器内の熱媒の１相域との温度差に基づいて、水熱交換器内の熱媒の１相域の大きさを制御するので、この制御の信頼性を高めることができる。
【発明の効果】
【００２９】
本発明の温調システムは、各２次側熱交換端末の設定温度に基づいて、上記各水熱交換器内の熱媒の１相域の大きさと、上記各水熱交換器内の熱媒の２相域の大きさとを制御する制御装置を備えることによって、２次側熱交換端末の設定温度に応じた温水または冷水を２次側熱交換端末に供給することができるので、２次側熱交換端末の温度変動を低減できる。
【００３０】
また、上記設定温度に応じた温水または冷水を２次側熱交換端末を供給することができるので、サーモオフの繰り返しを減らして、機器効率を向上させることができる。
【図面の簡単な説明】
【００３１】
【図１】本発明の一実施形態の温調システムの概略構成図である。
【図２】上記温調システムの暖房運転時の動作を説明するための模式図である。
【図３】上記温調システムの暖房運転時の他の動作を説明するための模式図である。
【図４】上記温調システムの冷房運転時の動作を説明するための模式図である。
【図５】上記温調システムの冷房運転時の他の動作を説明するための模式図である。
【発明を実施するための形態】
【００３２】
以下、この発明を図示の実施形態により詳細に説明する。
【００３３】
図１は、本発明の一実施形態の温調システムの概略構成を示す図である。
【００３４】
〔温調システムの全体構成〕
上記温調システムは、室外ユニット１００と、この室外ユニット１００に接続された第１，第２の床冷暖房ユニット２００，３００と、この第１の床冷暖房ユニット２００に接続された第１，第２の床冷暖房パネル４０１，４０２と、第２の床冷暖房ユニット３００に接続された第３，第４の床冷暖房パネル４０３，４０４と、室外ユニット１００に接続された室内熱交換器５０１とを備えている。なお、第１〜第４の床冷暖房パネル４０１〜４０４は２次側熱交換端末の一例である。
【００３５】
〔室外機１００の構成〕
上記室外機１００は、圧縮機１０１、この圧縮機１０１の吐出側に第１ポート１０２ａが接続された四路弁１０２と、この四路弁１０２の第２ポート１０２ｂに一端が接続された室外熱交換器１０３と、この室外熱交換器１０３の他端に一端が接続された第１〜第３の電動膨張弁１０４〜１０６と、圧縮機１０１の吸入側に一端が接続されたアキュムレータ１０７とを有している。このアキュムレータ１０７の他端は四路弁１０２の第３ポート１０２ｃに接続されている。なお、第１，第２の電動膨張弁１０４，１０５は膨張機構の一例である。
【００３６】
また、上記室外機１００は、例えばサーミスタからなる第１〜第９の温度センサ１０８〜１１６と、この第１〜第９の温度センサ１０８〜１１６が検出した温度を示す信号を受ける室外機用制御装置１１７とを有している。なお、室外機用制御装置１１７は制御装置の一例である。
【００３７】
上記第１の温度センサ１０８は第１の電動膨張弁１０４近傍に設置されている。この第１の温度センサ１０８は、第１の電動膨張弁１０４と、後述する二重管式水熱交換器２０１との間の冷媒の温度を検出する。より詳しくは、第１の温度センサ１０８は、暖房運転時、二重管式水熱交換器２０１から出て第１の電動膨張弁１０４に入る直前の冷媒の温度を検出する。また、第１の温度センサ１０８は、上記冷媒の温度を示す信号を室外機用制御装置１１７に送出する。なお、第１の温度センサ１０８は、第１の１相域用温度センサの一例で、二重管式水熱交換器２０１は水熱交換器の一例で、上記冷媒は熱媒の一例である。
【００３８】
上記第２の温度センサ１０９は第２の電動膨張弁１０５近傍に設置されている。この第２の温度センサ１０９は、第２の電動膨張弁１０５と、後述する二重管式水熱交換器３０１との間の冷媒の温度を検出する。より詳しくは、第２の温度センサ１０９は、暖房運転時、二重管式水熱交換器３０１から出て第２の電動膨張弁１０５に入る直前の冷媒の温度を検出する。また、第２の温度センサ１０９は、上記冷媒の温度を示す信号を室外機用制御装置１１７に送出する。なお、第２の温度センサ１０９は第１の１相域用温度センサの一例で、二重管式水熱交換器３０１は水熱交換器の一例である。
【００３９】
上記第３の温度センサ１１０は、第３の電動膨張弁１０６と室内熱交換器５０１との間の冷媒の温度を検出する。
【００４０】
上記第４の温度センサ１１１は、四方弁１０２の第４ポート１０２ｄと室内熱交換器５０１との間の冷媒の温度を検出する。
【００４１】
上記第５の温度センサ１１２は合流／分流部１２０近傍に設置されている。この第５の温度センサ１１２は、合流／分流部１２０と二重管式水熱交換器３０１との間の冷媒の温度を検出する。より詳しくは、第５の温度センサ１１２は、冷房運転時、合流／分流部１２０を通過した直後の冷媒の温度を検出し、この温度を示す信号を室外機用制御装置１１７へ送出する。なお、第５の温度センサ１１２は、第２の１相域用温度センサの一例である。
【００４２】
上記第６の温度センサ１１３は合流／分流部１２０近傍に設置されている。この第６の温度センサ１１３は、合流／分流部１２０と二重管式水熱交換器２０１との間の冷媒の温度を検出する。より詳しくは、第６の温度センサ１１３は、冷房運転時、合流／分流部１２０を通過した直後の冷媒の温度を検出し、この温度を示す信号を室外機用制御装置１１７へ送出する。なお、第６の温度センサ１１３は、第２の１相域用温度センサの一例である。
【００４３】
上記第７の温度センサ１１４は、圧縮機１０１と四方弁１０２の第１ポート１０２ａとの間の冷媒の温度を検出する。
【００４４】
上記第８の温度センサ１１５は、室外熱交換器１０３内の冷媒の温度を検出するために、室外熱交換器１０３に取り付けられている。
【００４５】
上記第９の温度センサ１１６は、外気温を検出するために、室外熱交換器１０３の近傍に配置されている。
【００４６】
上記室外機用制御装置１１７は、インバータ(図示せず)を介して、圧縮機１０１を制御する。この室外機用制御装置１１７は、ソフトウェアで構成された第１〜第３の弁開度調節部１１７ａ〜１１７ｃを有している。
【００４７】
また、室外機用制御装置１１７は、暖房運転時および冷房運転時、二重管式水熱交換器２０１，３０１内の冷媒の圧力に基づいて、二重管式水熱交換器２０１，３０１内の冷媒の２相域の温度を検出する。
【００４８】
また、上記室外機用制御装置１１７は、暖房運転時、第１，第２の電動膨張弁１０４，１０５に入る直前の冷媒の温度に基づいて、二重管式水熱交換器２０１，３０１内の冷媒の１相域の温度を検出する。
【００４９】
また、上記室外機用制御装置１１７は、冷房運転時、合流／分流部１２０を通過した直後の冷媒の温度に基づいて、二重管式水熱交換器２０１，３０１内の冷媒の１相域の温度を検出する。
【００５０】
上記第１の弁開度調節部１１７ａは、二重管式水熱交換器２０１内の冷媒の１相域および２相域の大きさを制御するため、第１，第２の床冷暖房パネル４０１，４０２の設定温度に基づいて、第１の電動膨張弁１０４の開度を調節する。
【００５１】
上記第２の弁開度調節部１１７ｂは、二重管式水熱交換器３０１内の冷媒の１相域および２相域の大きさを制御するため、第３，第４の床冷暖房パネル４０３，４０４の設定温度などに基づいて、第２の電動膨張弁１０５の開度を調節する。
【００５２】
上記第３の弁開度調節部１１７ｃは、室内熱交換器５０１内の冷媒の１相域および２相域の大きさを制御するため、室内設定温度に基づいて、第２の電動膨張弁１０５の開度を調節する。
【００５３】
ここで、「１相域」とは、冷媒が過熱ガスとなっている加熱ガス領域、または、冷媒が過冷却液となっている過冷却液領域のことである。また、「２相域」とは、冷媒が気相と液相が混じり合った気液２相状態となっている飽和領域のことである。
【００５４】
また、上記室外熱交換器１０３、圧縮機１０１、二重管式水熱交換器２０１，３０１および第１，第２の電動膨張弁１０４，１０５は順に連結されて、それぞれが冷媒回路６０１の一部を構成する。なお、冷媒回路６０１は熱媒回路の一例である。
【００５５】
また、図示しないが、上記室外熱交換器１０３の近傍には室外ファンが配置されている。
【００５６】
〔第１の床冷暖房ユニット２００の構成〕
上記第１の床冷暖房ユニット２００は、二重管式水熱交換器２０１、膨張タンク２０２、循環ポンプ２０３、往きヘッダ２０４および戻りヘッダ２０５を有している。なお、循環ポンプ２０３はポンプの一例である。
【００５７】
上記二重管式水熱交換器２０１は、冷媒回路６０１の凝縮器または蒸発器として機能する。この二重管式水熱交換器２０１には、室外機１００からの冷媒が流れる流路と、第１，第２の床冷暖房パネル４０１，４０２からの戻り水が流れる流路とが設けられている。これにより、室外機１００からの冷媒と、第２の床冷暖房パネル４０１，４０２からの戻り水とが、互いに熱交換できるようになっている。
【００５８】
上記膨張タンク２０２は、正負圧弁が付いており、二重管式水熱交換器２０１からの温水または冷水が溜まる。また、膨張タンク２０２の上部には給水口２０２ａを設けており、給水口２０２ａから膨張タンク２０２内に水が必要時に補充される。
【００５９】
上記循環ポンプ２０３は、吸入側が膨張タンク２０２に接続されている一方、吐出側が往きヘッダ２０４に接続されている。これにより、循環ポンプ２０３は、二重管式水熱交換器２０１を通過する冷媒と熱交換した温水または冷水を第１，第２の床冷暖房パネル４０１，４０２に送ることができるようになっている。
【００６０】
上記往きヘッダ２０４には、第１〜第４の熱動弁２０６〜２０９の一端と、水抜き栓２１０の一端とが接続されている。この第１，第２の熱動弁２０６，２０７の他端には、第１，第２の床冷暖房パネル４０１，４０２の水入口が接続されている。
【００６１】
上記戻りヘッダ２０５には、第１，第２の床冷暖房パネル４０１，４０２の水出口が接続されている。これにより、第１，第２の床冷暖房パネル４０１，４０２の温水または冷水が第１の床冷暖房ユニット２００に戻って、水が水回路２１１を循環できるようになっている。
【００６２】
また、上記第１の床冷暖房ユニット２００は、例えばサーミスタからなる第１，第２の水温センサ２１２，２１３と、例えばサーミスタからなる第１の冷媒温センサ２１４と、圧力センサ２１５と、床冷暖房ユニット用制御装置２１６とを有している。なお、第１の冷媒温センサ２１４は第１の１相域用温度センサの一例である。また、圧力センサ２１５は、２相域温度検出部の一例であり、圧力センサの一例でもある。
【００６３】
上記第１の水温センサ２１２は、二重管式水熱交換器２０１から第１，第２の床冷暖房パネル４０１，４０２へ向って流れる温水または冷水の温度を検出する。
【００６４】
上記第２の水温センサ２１３は、第１，第２の床冷暖房パネル４０１，４０２から二重管式水熱交換器２０１へ向かって流れる温水または冷水の温度を検出する。
【００６５】
上記第１の冷媒温センサ２１４は二重管式水熱交換器２０１近傍に設置されている。この第１の冷媒温センサ２１４は、第１の電動膨張弁１０４と二重管式水熱交換器２０１の間の冷媒の温度を検出する。より詳しくは、第１の冷媒温センサ２１４は、暖房運転時、二重管式水熱交換器２０１から出た直後の冷媒の温度を検出する。
【００６６】
上記圧力センサ２１５は、熱媒回路６０１の二重管式水熱交換器２０１近傍の部分に接続されている。また、圧力センサ２１５は、四方弁１０２の第４ポート１０２ｄと二重管式水熱交換器２０１との間の冷媒の圧力を検出し、この圧力を示す信号を床冷暖房ユニット用制御装置２１６に送出する。
【００６７】
上記床冷暖房ユニット用制御装置２１６は、圧力センサ２１５からの信号に基づいて、二重管式水熱交換器２０１内の冷媒の圧力を求め、この冷媒の圧力を示す信号を室外機用制御装置１００に送出する。また、床冷暖房ユニット用制御装置２１６は、第１，第２の床冷暖房パネル４０１，４０２の設定温度を示す信号なども室外機用制御装置１００に送出する。また、床冷暖房ユニット用制御装置２１６は、第１，第２の床冷暖房パネル４０１，４０２の設定温度や、第１，第２の水温センサ２１２，２１３が検出する温水または冷水の温度などに基づいて、循環ポンプ２０３および第１〜第４の熱動弁２０６〜２０９などを制御する。
【００６８】
また、上記第１の床冷暖房ユニット２００は、二重管式水熱交換器２０１に取り付けられ、例えばサーミスタからなる第２，第３の冷媒温センサ２１７，２１８を有している。この第２の冷媒温センサ２１７は、二重管式水熱交換器２０１の冷媒流れ方向の略中央部に対向している。一方、第３の冷媒温センサ２１８は、二重管式水熱交換器２０１の冷媒流れ方向の一端部に対向している。なお、第２，第３の冷媒温センサ２１７，２１８は、２相域温度検出部の一例であり、２相域用温度センサの一例でもある。
【００６９】
〔第２の床冷暖房ユニット３００の構成〕
上記第２の床冷暖房ユニット３００は、二重管式水熱交換器３０１、膨張タンク３０２、循環ポンプ３０３、往きヘッダ３０４および戻りヘッダ３０５を有している。なお、循環ポンプ３０３はポンプの一例である。
【００７０】
上記二重管式水熱交換器３０１は、冷媒回路６０１の凝縮器または蒸発器として機能する。この二重管式水熱交換器３０１には、室外機１００からの冷媒が流れる流路と、第３，第４の床冷暖房パネル４０３，４０４からの戻り水が流れる流路とが設けられている。これにより、室外機１００からの冷媒と、第２の床冷暖房パネル４０３，４０４からの戻り水とが、互いに熱交換できるようになっている。
【００７１】
上記膨張タンク３０２は、正負圧弁が付いており、二重管式水熱交換器３０１からの温水または冷水が溜まる。また、膨張タンク３０２の上部には給水口３０２ａを設けており、給水口２０２ａから膨張タンク３０２内に水が必要時に補充される。
【００７２】
上記循環ポンプ３０３は、吸入側が膨張タンク３０２に接続されている一方、吐出側が往きヘッダ３０４に接続されている。これにより、循環ポンプ３０３は、二重管式水熱交換器３０１を通過する冷媒と熱交換した温水または冷水を第３，第４の床冷暖房パネル４０３，４０４に送ることができるようになっている。
【００７３】
上記往きヘッダ３０４には、第１〜第４の熱動弁３０６〜３０９の一端と、第２の水抜き栓３１０の一端とが接続されている。この第１，第２の熱動弁３０６，３０７の他端には、第３，第４の床冷暖房パネル４０３，４０４の水入口が接続されている。
【００７４】
上記戻りヘッダ３０５には、第３，第４の床冷暖房パネル４０３，４０４の水出口が接続されている。これにより、第３，第４の床冷暖房パネル４０３，４０４の温水または冷水が第２の床冷暖房ユニット３００に戻って、水が水回路３１１を循環できるようになっている。
【００７５】
また、上記第２の床冷暖房ユニット３００は、例えばサーミスタからなる第１，第２の水温センサ３１２，３１３と、例えばサーミスタからなる第１の冷媒温センサ３１４と、第１の圧力センサ３１５と、床冷暖房ユニット用制御装置３１６とを有している。なお、第１の冷媒温センサ３１４は第１の１相域用温度センサの一例である。また、圧力センサ３１５は、２相域温度検出部の一例であり，圧力センサの一例でもある。
【００７６】
上記第１の水温センサ３１２は、二重管式水熱交換器３０１から第３，第４の床冷暖房パネル４０３，４０４へ向って流れる温水または冷水の温度を検出する。
【００７７】
上記第２の水温センサ３１３は、第３，第４の床冷暖房パネル４０３，４０４から二重管式水熱交換器３０１へ向かって流れる温水または冷水の温度を検出する。
【００７８】
上記第１の冷媒温センサ３１４は二重管式水熱交換器３０１近傍に設置されている。この第１の冷媒温センサ３１４は、第２の電動膨張弁１０５と二重管式水熱交換器３０１の間の冷媒の温度を検出する。より詳しくは、第１の冷媒温センサ３１４は、暖房運転時、二重管式水熱交換器３０１から出た直後の冷媒の温度を検出する。
【００７９】
上記圧力センサ３１５は、熱媒回路６０１の二重管式水熱交換器３０１近傍の部分に接続されている。また、圧力センサ３１５は、四方弁１０２の第４ポート１０２ｄと二重管式水熱交換器３０１との間の冷媒の圧力を検出し、この圧力を示す信号を床冷暖房ユニット用制御装置３１６に送出する。
【００８０】
上記床冷暖房ユニット用制御装置３１６は、圧力センサ３１５からの信号に基づいて、二重管式水熱交換器３０１内の冷媒の圧力を求め、この冷媒の圧力を示す信号を室外機用制御装置１００に送出する。また、床冷暖房ユニット用制御装置３１６は、第３，第４の床冷暖房パネル４０３，４０４の設定温度を示す信号なども室外機用制御装置１００に送出する。また、床冷暖房ユニット用制御装置３１６は、第３，第４の床冷暖房パネル４０３，４０４の設定温度や、第１，第２の水温センサ３１２，３１３が検出した温水または冷水の温度などに基づいて、循環ポンプ３０３および第１〜第４の熱動弁３０６〜３０９などを制御する。
【００８１】
また、上記第２の床冷暖房ユニット３００は、二重管式水熱交換器３０１に取り付けられ、例えばサーミスタからなる第２，第３の冷媒温センサ３１７，３１８を有している。この第２の冷媒温センサ３１７は、二重管式水熱交換器３０１の冷媒流れ方向の略中央部に対向している。一方、第３の冷媒温センサ３１８は、二重管式水熱交換器３０１の冷媒流れ方向の一端部に対向している。なお、第２，第３の冷媒温センサ３１７，３１８は、２相域温度検出部の一例であり、２相域用温度センサの一例でもある。
【００８２】
〔第１〜第４の床冷暖房パネル４０１〜４０４の構成〕
上記第１〜第４の床冷暖房パネル４０１〜４０４は、蛇行形状に形成された第１〜第４の水循環パイプ４１１〜４１４を有している。この第１，第２の水循環パイプ４１１，４１２内には、二重管式水熱交換器２０１からの温水または冷水が流れる。一方、第３，第４の水循環パイプ４１３，４１４内では、二重管式水熱交換器３０１からの温水または冷水が流れる。
【００８３】
〔室内熱交換器５０１の構成〕
上記室内熱交換器５０１は、一端が第３の電動膨張弁１０６に接続されていると共に、他端が四路弁１０２の第４ポート１０２ｄに接続されている。この室内熱交換器５０１には、室内熱交換器５０１内の冷媒の温度を検出するために、例えばサーミスタからなる第１の温度センサ５０２が取り付けられている。また、室内熱交換器５０１の近傍には、室温を検出するために、例えばサーミスタからなる第２の温度センサ５０３が配置されている。
【００８４】
また、図示しないが、室内熱交換器５０１の近傍には室内ファンが配置されている。
【００８５】
〔温調システムの暖房運転〕
上記温調システムでは、暖房運転時、圧縮機１０１から吐出された冷媒は、四路弁１０２の第１，第４ポート１０２ａ，１０２ｄを通過して、一部が二重管式水熱交換器２０１内へ流入し、他の一部が二重管式水熱交換器３０１内へ流入する。そして、二重管式水熱交換器２０１，３０１において水と熱交換されて凝縮した冷媒は、第１，第２の電動膨張弁１０４，１０５により膨張して、室外熱交換器１０３で蒸発して室外の空気から吸熱した後、四路弁１０２の第２，第３ポート１０２ｂ，１０２ｃと、アキュムレータ１０７とを通過して、圧縮機１０１に戻る。このとき、二重管式水熱交換器２０１，３０１を流れる水は、冷媒との熱交換により、温水となって、第１〜第４の床冷暖房パネル４０１〜４０４へ向かって流れる。
【００８６】
このような暖房運転時、室外機用制御装置１１７は、二重管式水熱交換器２０１，３０１内の冷媒の２つの１相域(過冷却液域，過熱ガス域)の大きさと、二重管式水熱交換器２０１，３０１内の冷媒の１つの２相域(飽和域)の大きさとを制御する。このとき、室外機用制御装置１１７は、二重管式水熱交換器２０１，３０１内の熱媒の２相域と、二重管式水熱交換器２０１，３０１内の熱媒の１相域(過冷却液域)との温度差に基づいて、その１相域の大きさを制御する。すなわち、上記１相域の大きさの制御は、いわゆる過冷却度に基づいて行われる。
【００８７】
例えば、図２に示すように、第１，第３の床冷暖房パネル４０１，４０３の設定温度が５０℃で、第２，第４の床冷暖房パネル４０２，４０４の設定温度が４５℃である場合、室外機用制御装置１１７は、二重管式水熱交換器２０１，３０１の熱伝達効率が大きくなるように、二重管式水熱交換器２０１，３０１内の過冷却液域および過熱ガス域の大きさと、二重管式水熱交換器２０１，３０１内の冷媒の飽和域の大きさとを制御する。このとき、戻り水温Ａ１，Ｂ１(二重管式水熱交換器２０１，３０１に入る水の温度)の水が二重管式水熱交換器２０１，３０１内の冷媒と熱交換して、往き水温Ａ2，Ｂ２(二重管式水熱交換器２０１，３０１から出る温水の温度)が５０℃となるように、第１，第２の弁開度調節部１１７ａ，１１７ｂが第１，第２の電動膨張弁１０４，１０５の開度を調節する。
【００８８】
ここで、上記二重管式水熱交換器２０１，３０１の熱伝達効率を大きくすることは、二重管式水熱交換器２０１，３０１内の冷媒の飽和域を大きくすることと同じである。このため、二重管式水熱交換器３０１内の冷媒の飽和域の大きさは、二重管式水熱交換器２０１内の冷媒の飽和域の大きさと略同じになる。
【００８９】
また、例えば、図３に示すように、第１の床冷暖房パネル４０１の設定温度が５０℃で、第２の床冷暖房パネル４０２の設定温度が４５℃で、第３の床冷暖房パネル４０３の設定温度が４０℃で、第４の床冷暖房パネル４０４の設定温度が３０℃である場合、室外機用制御装置１１７は、二重管式水熱交換器２０１の熱伝達効率が大きくなるように、二重管式水熱交換器２０１内の過冷却液域および過熱ガス域の大きさと、二重管式水熱交換器２０１内の冷媒の飽和域の大きさとを制御する。また、室外機用制御装置１１７は、二重管式水熱交換器３０１の熱伝達効率が小さくなるように、二重管式水熱交換器３０１内の過冷却液域および過熱ガス域の大きさと、二重管式水熱交換器３０１内の冷媒の飽和域の大きさとを制御する。このとき、戻り水温Ａ１，Ｂ１の水が二重管式水熱交換器２０１，３０１内の冷媒と熱交換して、往き水温Ａ２が５０℃となると共に、往き水温Ｂ２が４０℃となるように、第１，第２の弁開度調節部１１７ａ，１１７ｂが第１，第２の電動膨張弁１０４，１０５の開度を調節する。これにより、二重管式水熱交換器２０１内に流入する冷媒の量に比べて、二重管式水熱交換器３０１内に流入する冷媒の量が少なくなる。
【００９０】
ここで、上記二重管式水熱交換器３０１の熱伝達効率を小さくすることは、二重管式水熱交換器３０１内の冷媒の飽和域を小さくすることと同じである。このため、二重管式水熱交換器３０１内の冷媒の飽和域の大きさは、二重管式水熱交換器２０１内の冷媒の飽和域の大きさよりも小さくなる。
【００９１】
また、上記第１，第２の弁開度調節部１１７ａ，１１７ｂによる第１，第２の電動膨張弁１０４，１０５の開度の調節は、例えば、二重管式水熱交換器２０１の過冷却度の目標値よりも、二重管式水熱交換器３０１の過冷却度の目標値を大きく設定することで開始するようになっている。
【００９２】
このように、上記二重管式水熱交換器２０１，３０１内の水が冷媒と熱交換するとき、二重管式水熱交換器２０１内の過冷却液域および過熱ガス域の大きさと、二重管式水熱交換器２０１内の冷媒の飽和域の大きさとを変えることにより、二重管式水熱交換器２０１，３０１内の水と冷媒の熱交換量を変更できるので、二重管式水熱交換器２０１，３０１から出る温水の温度が第１〜第４の床冷暖房パネル４０１〜４０４の設定温度から大きく外れるのを防ぐことができる。その結果、第１〜第４の床冷暖房パネル４０１〜４０４の温度変動を低減できる。
【００９３】
また、上記二重管式水熱交換器２０１，３０１から出る温水の温度が第１〜第４の床冷暖房パネル４０１〜４０４の設定温度から大きく外れるのを防ぐことができるので、第１，第２の熱動弁２０６，２０７や、第１，第２の熱動弁３０６，３０７を間欠的に開いたとしても、圧縮機１０１の発停を減らすことができる。その結果、上記温調システムの機器効率を向上させることができる。
【００９４】
上述したような暖房運転時の制御を室内熱交換器５０１に行うことは好ましくなない。何故なら、上記制御は、二重管式水熱交換器３０１の能力の一部を殺すことになるからである。
【００９５】
また、上記制御をしなくても、室内熱交換器５０１であれば、室内ファンの回転数を落とすことで、室内温度を下げることができるからである。
【００９６】
したがって、上記制御は、室内熱交換器５０１の制御とは無関係であり、当業者といえども、室内熱交換器５０１の制御から容易に想到できないものである。
【００９７】
また、上記圧力センサ２１５，３１５は、熱媒回路６０１の二重管式水熱交換器２０１，３０１近傍の部分に接続されているので、二重管式水熱交換器２０１，３０１内の熱媒の圧力を正確に検出することができる。したがって、室外機用制御装置１１７は、暖房運転時、二重管式水熱交換器２０１，３０１内の熱媒の圧力に基づいて、二重管式水熱交換器２０１，３０１内の熱媒の２相域の温度を正確に検出することができる。したがって、室外機用制御装置１１７は、暖房運転時、二重管式水熱交換器２０１，３０１内の熱媒の２相域の温度に基づいて、その２相域の大きさを非常に良好に制御することができる。
【００９８】
また、上記室外機用制御装置１１７は、暖房運転時、二重管式水熱交換器２０１，３０１内の熱媒の２相域と、二重管式水熱交換器２０１，３０１内の熱媒の１相域との温度差に基づいて、二重管式水熱交換器２０１，３０１内の熱媒の１相域の大きさを制御するので、この制御の信頼性を高めることができる。
【００９９】
〔温調システムの冷房運転〕
上記温調システムは、冷房運転時、圧縮機１０１から吐出された冷媒が、四路弁１０２の第１，第２ポート１０２ａ，１０２ｂを通過して、室外熱交換器１０３で室外の空気と熱交換されて凝縮する。この凝縮した冷媒は、第１，第２の電動膨張弁１０４，１０５により膨張して、二重管式水熱交換器２０１内で蒸発して二重管式水熱交換器２０１内の水から吸熱した後、四路弁１０２の第３，第４ポート１０２ｃ，１０２ｄと、アキュムレータ１０７とを通過して、圧縮機１０１に戻る。このとき、二重管式水熱交換器２０１内を流れる水は、冷媒との熱交換により、冷水となって、第１〜第４の床冷暖房パネル４０１〜４０４へ向かって流れる。
【０１００】
このような冷房運転時、室外機用制御装置１１７は、二重管式水熱交換器２０１，３０１内の冷媒の１つの１相域(過熱ガス域)の大きさと、二重管式水熱交換器２０１，３０１内の冷媒の１つの２相域(飽和域)の大きさとを制御する。このとき、室外機用制御装置１１７は、二重管式水熱交換器２０１，３０１内の熱媒の２相域と、二重管式水熱交換器２０１，３０１内の熱媒の１相域との温度差に基づいて、その１相域の大きさを制御する。すなわち、上記１相域の大きさの制御は、いわゆる過熱度に基づいて行われる。
【０１０１】
例えば、図４に示すように、第１，第３の床冷暖房パネル４０１，４０３の設定温度が１０℃で、第２，第４の床冷暖房パネル４０２，４０４の設定温度が１５℃である場合、室外機用制御装置１１７は、二重管式水熱交換器２０１，３０１の熱伝達効率が大きくなるように、二重管式水熱交換器２０１，３０１内の過熱ガス域の大きさと、二重管式水熱交換器２０１，３０１内の冷媒の飽和域の大きさとを制御する。このとき、戻り水温Ａ１，Ｂ１(二重管式水熱交換器２０１，３０１に入る水の温度)の水が二重管式水熱交換器２０１，３０１内の冷媒と熱交換して、往き水温Ａ２，Ｂ２(二重管式水熱交換器２０１，３０１から出る温水の温度)が１０℃となるように、第１，第２の弁開度調節部１１７ａ，１１７ｂが第１，第２の電動膨張弁１０４，１０５の開度を調節する。
【０１０２】
ここで、上記二重管式水熱交換器２０１，３０１の熱伝達効率を大きくすることは、二重管式水熱交換器２０１，３０１内の冷媒の飽和域を大きくすることと同じである。このため、二重管式水熱交換器３０１内の冷媒の飽和域の大きさは、二重管式水熱交換器２０１内の冷媒の飽和域の大きさと略同じになる。
【０１０３】
また、例えば、図５に示すように、第１の床冷暖房パネル４０１の設定温度が１０℃で、第２の床冷暖房パネル４０２の設定温度が１５℃で、第３の床冷暖房パネル４０３の設定温度が１０℃で、第４の床冷暖房パネル４０４の設定温度が１８℃である場合、室外機用制御装置１１７は、二重管式水熱交換器２０１の熱伝達効率が大きくなるように、二重管式水熱交換器２０１内の過冷却液域および過熱ガス域の大きさと、二重管式水熱交換器２０１内の冷媒の飽和域の大きさとを制御する。また、室外機用制御装置１１７は、二重管式水熱交換器３０１の熱伝達効率が小さくなるように、二重管式水熱交換器３０１内の過熱ガス域の大きさと、二重管式水熱交換器３０１内の冷媒の飽和域の大きさとを制御する。このとき、戻り水温Ａ１，Ｂ１の水が二重管式水熱交換器２０１，３０１内の冷媒と熱交換して、往き水温Ａ2が１０℃となると共に、往き水温Ｂ２が１５℃となるように、第１，第２の弁開度調節部１１７ａ，１１７ｂが第１，第２の電動膨張弁１０４，１０５の開度を調節する。これにより、二重管式水熱交換器２０１内に流入する冷媒の量に比べて、二重管式水熱交換器３０１内に流入する冷媒の量が少なくなる。
【０１０４】
ここで、上記二重管式水熱交換器３０１の熱伝達効率を小さくすることは、二重管式水熱交換器３０１内の冷媒の飽和域を小さくすることと同じである。このため、二重管式水熱交換器３０１内の冷媒の飽和域の大きさは、二重管式水熱交換器２０１内の冷媒の飽和域の大きさよりも小さくなる。
【０１０５】
また、上記第１，第２の弁開度調節部１１７ａ，１１７ｂによる第１，第２の電動膨張弁１０４，１０５の開度の調節は、例えば、二重管式水熱交換器２０１の過熱度の目標値よりも、二重管式水熱交換器３０１の過熱度の目標値を大きく設定することで開始するようになっている。
【０１０６】
このように、上記二重管式水熱交換器２０１，３０１内の水が冷媒と熱交換するとき、二重管式水熱交換器２０１，３０１内の冷媒の１つの過熱ガス域の大きさと、二重管式水熱交換器２０１，３０１内の冷媒の１つの飽和域の大きさとを変えることにより、二重管式水熱交換器２０１，３０１内の水と冷媒の熱交換量を変更できるので、二重管式水熱交換器２０１，３０１から出る冷水の温度が第１〜第４の床冷暖房パネル４０１〜４０４の設定温度から大きく外れるのを防ぐことができる。その結果、第１〜第４の床冷暖房パネル４０１〜４０４の温度変動を低減できる。
【０１０７】
また、上記二重管式水熱交換器２０１，３０１から出る冷水の温度が第１〜第４の床冷暖房パネル４０１〜４０４の設定温度から大きく外れるのを防ぐことができるので、第１，第２の熱動弁２０６，２０７や、第１，第２の熱動弁３０６，３０７を間欠的に開いたとしても、圧縮機１０１の発停を減らすことができる。その結果、上記温調システムの機器効率を向上させることができる。
【０１０８】
上述したような冷房運転時の制御を室内熱交換器５０１に行うことは好ましくなない。何故なら、上記制御は、二重管式水熱交換器３０１の能力の一部を殺すことになるからである。
【０１０９】
また、上記制御をしなくても、室内熱交換器５０１であれば、室内ファンの回転数を落とすことで、室内温度を下げることができるからである。
【０１１０】
また、上記制御が室内熱交換器５０１で行われると、室内熱交換器５０１の近傍で結露が生じ、室内ファンの風がその結露を室内へ飛ばしてしまうからである。
【０１１１】
したがって、上記制御は、室内熱交換器５０１の制御とは無関係であり、当業者といえども、室内熱交換器５０１の制御から容易に想到できないものである。
【０１１２】
また、上記圧力センサ２１５，３１５は、熱媒回路６０１の二重管式水熱交換器２０１，３０１近傍の部分に接続されているので、二重管式水熱交換器２０１，３０１内の熱媒の圧力を正確に検出することができる。したがって、室外機用制御装置１１７は、冷房運転時、二重管式水熱交換器２０１，３０１内の熱媒の圧力に基づいて、二重管式水熱交換器２０１，３０１内の熱媒の２相域の温度を正確に検出することができる。したがって、室外機用制御装置１１７は、冷房運転時、二重管式水熱交換器２０１，３０１内の熱媒の２相域の温度に基づいて、その２相域の大きさを非常に良好に制御することができる。
【０１１３】
また、上記室外機用制御装置１１７は、冷房運転時、二重管式水熱交換器２０１，３０１内の熱媒の２相域と、二重管式水熱交換器２０１，３０１内の熱媒の１相域との温度差に基づいて、水熱交換器内の熱媒の１相域の大きさを制御するので、この制御の信頼性を高めることができる。
【０１１４】
上記実施形態では、温調システムは、第１〜第４の床冷暖房パネル４０１〜４０４で暖房および冷房を行えるものであったが、第１〜第４の床冷暖房パネル４０１〜４０４で暖房と冷房の一方のみを行えるものであってもよい。
【０１１５】
上記実施形態では、第１〜第３の弁開度調節部１１７ａ，１１７ｂは、ソフトウェアで構成したが、スイッチ、タイマ、比較器、および増幅器等のハードウェアで構成してもよい。
【０１１６】
上記実施形態では、第１，第２の床冷暖房ユニット２００，３００は、二重管式水熱交換器２０１，３０１を水熱交換器の一例として有していたが、例えばプレート式水熱交換器を水熱交換器の一例として有してもよい。
【０１１７】
上記実施形態において、圧力センサ２１５，３１５の代わりに、圧力スイッチを設けてもよい。
【０１１８】
上記実施形態において、循環ポンプ２０３，３０３は、第１〜第４の床冷暖房パネル４０１〜４０４へ温水または冷水を連続的に流してもよいし、あるいは、断続的に流してもよい。
【０１１９】
上記実施形態において、循環ポンプ２０３の吐出量は、循環ポンプ３０３の吐出量と同じにしてもよいし、あるいは、循環ポンプ３０３の吐出量と異なるようにしてもよい。
【０１２０】
上記実施形態では、冷媒回路６０１に、第１，第２の電動膨張弁１０４，１０５を設けていたが、膨張機構の一例としての例えばキャピラリチューブを設けてもよい。
【０１２１】
上記実施形態において、第１〜第４の床冷暖房パネル４０１〜４０４のうちの少なくとも一つを、天井冷暖房パネル、天井冷房パネル、天井暖房パネル、壁冷暖房パネル、壁冷房パネル、壁暖房パネル、または、室内設置型ラジエタに換えてもよい。
【０１２２】
上記実施形態では、暖房運転時および冷房運手時、圧力センサ２１５，３１５を用いて、二重管式水熱交換器２０１，３０１内の熱媒の２相域の温度を検出していたが、第２，第３の冷媒温センサ２１７，２１８，３１７，３１８を用いて、二重管式水熱交換器２０１，３０１内の熱媒の２相域の温度を検出するようにしてもよい。
【０１２３】
上記実施形態では、暖房運転時、第１，第２の温度センサ１０８，１０９を用いて、二重管式水熱交換器２０１，３０１内の熱媒の１相域の温度を検出していたが、第１の冷媒温センサ２１４，３１４を用いて、二重管式水熱交換器２０１，３０１内の熱媒の１相域の温度を検出するようにしてもよい。
【０１２４】
以上、本発明の具体的な実施形態について説明したが、本発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【０１２５】
１０１  圧縮機
１０３  室外熱交換器
１０４  第１の電動膨張弁
１０５  第２の電動膨張弁
１０８  第１の温度センサ
１０９  第２の温度センサ
１１２  第５の温度センサ
１１３  第６の温度センサ
１１７  室外機用制御装置
２０１，３０１  二重管式水熱交換器
２０３，３０３  循環ポンプ
２１４，３１４  第１の冷媒温センサ
２１５，３１５  圧力センサ
２１７，３１７  第２の冷媒温センサ
２１８，３１８  第３の冷媒温センサ
４０１  第１の床冷暖房パネル
４０２  第２の床冷暖房パネル
４０３  第３の床冷暖房パネル
４０４  第４の床冷暖房パネル
６０１  冷媒回路
【図１】
2014145522.tif 000003
【図２】
2014145522.tif 000004
【図３】
2014145522.tif 000005
【図４】
2014145522.tif 000006
【図５】
2014145522.tif 000007